(57)【要約】  【課題】  本発明は、浴室を改装する際に、短期間に改修工事が行え、既存浴室での洗い場と浴槽載置場との段差を必要とせず、施工する浴室の各種サイズに合わせて個別に防水パン等を製作する必要のない、改装用防水パンを提供することを目的とする。  【解決手段】  本発明は、裏面に高さ調整脚を有した洗い場防水パンと、裏面に高さ調整脚を有した浴槽載置防水パンとを備え、上記洗い場防水パンと浴槽載置防水パンとを一部重ね合わせて一つの防水パンとなし、上記洗い場防水パン又は浴槽載置防水パンの何れかの一辺であって、端部から離間を有して排水マスを設け、洗い場防水パンの洗い場部及び浴槽載置防水パンの浴槽載置部表面を平面形状とした改装用防水パンである。  【選択図】  図３
2006336285.tif 000002
【特許請求の範囲】
【請求項１】
裏面に高さ調整脚を有した洗い場防水パンと、裏面に高さ調整脚を有した浴槽載置防水パンとを備え、上記洗い場防水パンと浴槽載置防水パンとを一部重ね合わせて一つの防水パンとなし、上記洗い場防水パン又は浴槽載置防水パンの何れかの一辺であって、端部から離間を有して排水マスを設け、洗い場防水パンの洗い場部及び浴槽載置防水パンの浴槽載置部表面を平面形状とした改装用防水パン。
【請求項２】
請求項１記載の防水パンであって、洗い場防水パン又は浴槽載置防水パンの一辺に排水溝を有した改装用防水パン。
【請求項３】
請求項１又は２記載の防水パンであって、浴槽載置場に開口を有している改装用防水パン。
【請求項４】
請求項１乃至３のいずれかに記載の防水パンであって、浴槽載置防水パンが浴槽載置場に凹み部を有し、この凹み部に高さ調整脚が設置された改装用防水パン。
【発明の詳細な説明】
【技術分野】
【０００１】
本発明は、改装用防水パンに関し、更に詳しくは、マンションや一般住宅等にすでに設置されている浴室を改装する際に好適に使用できる改装用防水パンに関する。
【背景技術】
【０００２】
マンション、一般住宅等に、在来工法で設置された浴室の例を図１２（平面図）及び図１３（断面図）に示した。在来工法では、コンクリート製の建築物躯体１８上に防水層１６を形成するとともに、その防水層１６の上にモルタル１７の層を形成し、一方には浴槽載置場を、他方には洗い場を形成する。そして、浴槽載置場には、浴槽１２、風呂釜１３を設置し、洗い場には、スノコ１４を設置して使用している。
【０００３】
図１２及び図１３に示すような浴室を長年使用すると、浴室内は、室内の高温多湿が誘因となり、洗い場に設置したスノコが腐食したり、床面や壁面及び天井面に除去困難な黒カビ等が発生したりして、外観不良及びカビ臭の問題が生じやすかった。また、このような浴室は、洗い場が低いために、脱衣場から洗い場への移動又は洗い場から浴槽内への移動に高い段差を乗り越える必要があり、使用者の高齢化に伴い移動が困難となることがある。
【０００４】
そこで、このような問題が生じた場合に、従来よく行われていた浴室床の改修（在来の改修方法）された浴室の例を図１４（平面図）及び図１５（断面図）に示した。その改修工事は、先ず水道やガスの元栓を止め、浴室内の湯水栓、ガス栓、換気扇、浴槽１２、風呂釜１３等の末端機器を外し、排水口、点検口、ドア、額縁、沓摺り等を外し、床面、腰壁のモルタル等のはつり作業（削る作業）を行った後、再び、床面、腰壁、沓摺り裏面、排水口周囲の防水工事を行い、洗い場にブロック等を敷き並べまたは軽量コンクリートを打設して嵩上げし、その上にモルタルとともにタイルを貼り改装した洗い場床１５を形成し、腰壁にタイルを貼り、額縁、沓摺り、天井及びドアを取り付け、浴室を復元させる方法である。この方法によれば、洗い場を嵩上げすることにより、脱衣室から洗い場、洗い場から浴槽への移動が容易になる。
【０００５】
別の方法は、特許文献１に開示された方法で、既設浴室の洗場床の形状に適合するように成形された改装用防水床（成形板）を用いて、浴室を改装する方法である。この方法によって、手間と時間は在来の改修方法に比べてかなり省くことができた。
【０００６】
また別の方法は、特許文献２に開示された方法で、既設浴室に防水パン及び壁パネル等を用いてユニット化されたバスルームにより改装する方法である。この方法によって現地での組立作業時間は削減された。
【特許文献１】特開２０００−１１６５６３号公報
【特許文献２】特開２００３−２３２１３４号公報
【発明の開示】
【発明が解決しようとする課題】
【０００７】
しかしながら、図１４、図１５に示す改修方法は、作業が煩雑で改修に時間がかかり、その間約１週間は入浴できない不便がある。
また、特許文献１に開示されたものでは、洗い場が既に一段高く嵩上げされた状態のものの改装方法であり、洗い場と浴槽載置場とが段差のない場合の対応は困難である。
更に、特許文献２に開示されたものでは、在来工法で形成された浴室が、浴室ごとに大きさ及び排水口の位置が異なり、工事の都度浴室の大きさ及び排水口位置等を正確に測定し、防水パン及び壁パネル等を測定した寸法に合わせ製作する必要がある。そして、このような特殊サイズの防水パン及び壁パネルは、その製作に約１ヶ月の期間を要する。その上、防水パンの壁載せ面に壁パネルを建て込むために、防水パン外周部から壁パネル内面まで浴室の広さを小さくしてしまう。
【０００８】
本発明は、浴室を改装する際に、短期間に改修工事が行え、既存浴室での洗い場と浴槽載置場との段差を必要とせず、施工する浴室の各種サイズに合わせて個別に防水パン等を製作する必要のない、改装用防水パンを提供することを目的とする。
【課題を解決するための手段】
【０００９】
（１）本発明は、裏面に高さ調整脚を有した洗い場防水パンと、裏面に高さ調整脚を有した浴槽載置防水パンとを備え、上記洗い場防水パンと浴槽載置防水パンとを一部重ね合わせて一つの防水パンとなし、上記洗い場防水パン又は浴槽載置防水パンの何れかの一辺であって、端部から離間を有して排水マスを設け、洗い場防水パンの洗い場部及び浴槽載置防水パンの浴槽載置部表面を平面形状とした改装用防水パンである。
（２）項（１）記載の防水パンであって、洗い場防水パン又は浴槽載置防水パンの一辺に排水溝を有した改装用防水パン。
（３）項（１）又は（２）記載の防水パンであって、浴槽載置場に開口を有している改装用防水パン。
（４）項（１）乃至（３）のいずれかに記載の防水パンであって、浴槽載置防水パンが浴槽載置場に凹み部を有し、この凹み部に高さ調整脚が設置された改装用防水パン。
【発明の効果】
【００１０】
本発明によれば、洗い場防水パンの裏面および浴槽載置防水パンの裏面に高さ調整脚を備えていることと、前記洗い場防水パンと浴槽載置防水パンとを一部重ねて一つの防水パンを形成することから、洗い場側と浴槽載置側に段差の無い既設浴室の場合でも、上記洗い場防水パンおよび浴槽載置防水パンの裏面に備えた各々の脚の高さを調整することにより、既設浴室の浴槽上面と脱衣室床面との高さに合わせ設置することができ、脱衣室から洗い場、洗い場から浴槽への移動が容易になる。
また、洗い場防水パンの洗い場部及び浴槽載置防水パンの浴槽載置部表面が平面形状としているため、各々のパンの排水マスを設けていない３辺をいかようにも切断でき、施工現場にて、既設浴室の大きさおよび排水口の位置に容易に合わせることができる。
【００１１】
排水溝を設けた場合は、排水が排水溝を介して排水マスに集水され、洗い場部に溢れることなくスムーズに排水できる。
【００１２】
浴槽載置防水パンの浴槽載置部に開口を設けた場合には、開口より作業者の手を挿入することで、浴槽載置防水パン裏面に設けた脚の高さを調整することができ、浴槽載置防水パンを敷設したまま、何度も浴槽載置防水パンを持ち上げることなく、容易に高さ調整を行うことができる。
【００１３】
浴槽載置防水パンの浴槽載置部に凹み部を有し、その凹み部に高さ調整脚を設置した場合は、浴槽載置防水パンを敷設したまま上記凹み部より容易に脚の高さ調整ができる。
【発明を実施するための最良の形態】
【００１４】
本発明に用いる洗い場防水パンと、浴槽載置防水パンは、その裏面に高さ調整脚を有しており、その長さを調整することにより設置高さを可変させられる。
また、洗い場防水パンと、浴槽載置防水パンの材質としては、ノルボルネン系モノマーを反応射出成形して得られるポリノルボルネン系樹脂、シート状の不飽和ポリエステル樹脂成形材料（ＳＭＣともいう）、繊維強化材を配合した熱硬化性プラスチック（ＦＲＰともいう）、熱硬化性樹脂発泡体をガラス繊維で強化したもの、熱硬化性樹脂発泡体をＦＲＰ層でサンドイッチしたもの等が用いられ、耐水性及び機械強度の優れた成形品が得られる材料が好ましい。
【００１５】
改装用防水パンの洗い場防水パンと浴槽載置防水パンとの重ね合わせ部分は、防水パッキン等を介して重ねあわされ、その合わせ部分となる洗い場防水パン端部と、浴槽載置防水パンの端部との隙間が、３〜５ｍｍ程度開くように設置され、その隙間にコーキング剤等を注入し防水することが好ましい。
【００１６】
排水マスは、防水パン上に散水された水を集水し、系外に排出するものであり、この排水マスが、端部から離間を有して設けられる。
本発明にて述べる端部からの離間とは、排水マスを設ける辺に隣接する２つの辺からの離間である。離間距離は、特に制限されるものではないが、施工現場にて防水パンを切断する場合のことを考えると、５０ｍｍ以上であることが好ましい。図１は、本発明の１実施例である改装用防水パンの平面図を示しており、これを用いて更に説明する。
図１（ａ）は、洗い場防水パン１と浴槽載置防水パン２を示しており、浴槽載置防水パン２の辺Ａには、排水マス３が設けられている。排水マス３は、辺Ｂ、Ｃから離間を有して（辺Ｂ、Ｃに接することなく）辺Ａに設けられており、施工現場の状況に合わせ辺Ｂ、Ｃ、Ｄを切断することにより排水マス３の辺Ａでの相対位置を変化させることができる。
また、洗い場防水パン１には、排水マス３と組み合う箇所に、排水マス切欠部４を設けている。
尚、洗い場防水パン１と浴槽載置防水パン２とは、その表面を平面形状としているため、辺Ｂ、Ｃ、Ｄの何れの辺、又はその中の複数の辺を切断しても、後の施工に影響が出るものではない。ここで述べる平面形状とは、模様、滑り止め等に用いる表面凹凸ではなく、起立辺等を意味し、具体的には、壁載置を行う為に洗い場、浴槽載置場から一段高くして設ける壁載置部等がないことを意味する。
【００１７】
図１（ｂ）は、排水マス３を洗い場防水パン１に設け、排水マス切欠部４を浴槽載置防水パン２に設けた例を示している。図１（ａ）（ｂ）に示すように、排水マスは、洗い場防水パン１、浴槽載置防水パン２のどちらに設けても良い。
【００１８】
図１（ｃ）は、排水マス３を浴槽載置防水パン２に設けてあるが、図１（ａ）に示すように浴槽載置防水パン２の外側ではなく、内側に設けるようにしている。また、図１（ｄ）は、排水マス３を洗い場防水パン１の内側に設けている。
【００１９】
本発明にて述べる開口及び凹み部は、蓋により塞がれる構造となっていることが望ましい。また、開口及び凹み部が浴槽の脚に合う位置に配置され、水を流すために勾配をつけて設置される浴槽載置防水パンの勾配に合うように蓋底部が勾配を有し、全ての蓋上面が水平に同一高さになるように形成された蓋を前記開口及び凹み部に取り付けることにより、浴槽を水平に設置できる。
【実施例】
【００２０】
以下、図面を用いて、本発明の実施例について説明する。
図２は、本発明の１実施例を示す防水パンの分解図であり、排水マス切欠部４を設けた洗い場防水パン１と、排水マス３を設けた浴槽載置防水パン２を示している。また、浴槽載置防水パン２には、排水溝５を設けてあり、この排水溝５を介して排水が排水マス３に集水される。
【００２１】
図３は本発明の実施例である改装用防水パンの分解斜視図である。改装用防水パンの洗い場防水パン１は、略方形の洗い場１ａと、洗い場１ａの一辺に設けた側板１ｂと、洗い場１ａ裏面に取付けられた補強板１ｃと、この補強板１ｃに固定された高さ調整脚（ボルト）１ｄを有している。また、洗い場１ａは、側板１ｂが設けられた辺に排水マス切欠部４が設けられている。
【００２２】
改装用防水パンの浴槽載置防水パン２は、略方形の浴槽載置部２ａと、浴槽載置部２ａの一辺に凹設した排水溝５と、排水溝５の一部に設けた排水マス３とを有し、浴槽載置部２ａ裏面に取付けられた補強板２ｂに固定された高さ調整脚（ボルト）２ｃを有している。更に、浴槽載置部２ａには、浴槽載置部２ａ裏面の補強板２ｂに取付けられた高さ調整脚２ｃの位置に開口２ｄがあり、その開口２ｄから高さ調整脚２ｃの高さ調整が可能となっている。また、その開口２ｄを塞ぐ蓋６が付属する。
【００２３】
排水溝５の洗い場防水パン１と重なる部分は、立上平面部５ｂとしており、この立上平面部５ｂから起立する立上壁部５ａと、側板１ｂとを係合させる。また、排水マス３には、排水マス切欠部４と係合するように、立上平面部３ｂ及び立上壁部３ａを設けてある。
【００２４】
既設排水口９に接続する接続筒受け材８は、平面視ドーナツ状で内円部分が開口部８ｂとされ、その内円と外円に沿って垂設する立壁８ａを有する。浴槽載置防水パン２の排水マス３に固着される排水口接続部７は、略方形の平面部７ａに垂設する筒状の筒７ｂを有している。尚、接続筒受け材８及び排水口接続部７の筒７ｂは挿入可能な形状であれば円形でなくても、様々な形状をとることができる。
【００２５】
図４は、本発明の一例の改装用防水パンを浴室に設置した平面図である。図５は図４のＡ−Ａ断面図、図６は図４のＢ−Ｂ断面図である。また、図７、図８は図５Ｃ部の部分詳細図である。また、図９は排水口接続部７、図１０は接続筒受け材８の斜視図、図１１は排水口接続部７、接続筒受け材８及び防水パンの設置状況を示す図６Ｄ部の部分断面図である。
【００２６】
改装用防水パンを設置するには、まず洗い場防水パン１の側板１ｂに設けた排水マス切欠部４を既設排水口９の位置に合うように、洗い場防水パン１の側板１ｂを設けた１辺を除く３辺を必要に応じて切断し、その洗い場防水パン１を既設浴室床面１９ａに仮置き、洗い場防水パン１裏面に設けたに高さ調整脚１ｄを、側板１ｂの下端部と既設浴室床面１９ａとの隙間から、手を入れて高さ調整を行う。高さは、浴槽１２のまたぎ高さ、脱衣室から洗い場１ａへの移動等を考慮した高さとし、洗い場防水パン１に設けられた側板１ｂの反対側から側板１ｂ側に１／３０乃至１／５０になるように下り勾配をつけるようにする。その後、一旦洗い場防水パン１の側板１ｂが上になるように既設浴室壁面に立て掛ける。次に、既設排水口９の開口部９ａと、接続筒受け材８の開口部８ｂを合わせ、接続筒受け材８をコーキング剤１１にて既設排水口９に固着させる。
【００２７】
浴槽載置防水パン２は、排水マス３が、既設排水口９に取付けた接続筒受け材８の固着位置に合うように、浴槽載置防水パン２の排水マス３を設けた１辺を除く３辺を必要に応じて切断し、その浴槽載置防水パン２を、既設浴室床面１９ａに設置する。浴槽載置防水パン２の高さ調整は、浴槽載置部２ａに設けられた開口２ｄより行い、排水溝５の反対側から排水溝５側に１／３０乃至１／５０になるように下り勾配をつけ、且つ、洗い場防水パン１の側板１ｂ底部と浴槽載置防水パン２の立上平面部５ｂとの隙間が５ｍｍ程度開くように、浴槽載置防水パン２と洗い場防水パン１とを一部重ねあわせて設置する。
【００２８】
浴槽載置防水パン２と洗い場防水パン１との重ね合わせ部分について詳細に述べると、浴槽載置防水パン２の立上壁部５ａ及び立上壁部３ａには、防水テープ１０を貼り付け、洗い場防水パン１を設置し、洗い場防水パン１の側板１ｂ底部と、浴槽載置防水パン２の立上平面部５ｂ及び立上平面部３ｂとの隙間にコーキング剤１１を塗布し防水する。
【００２９】
排水口接続部７に設けた筒７ｂは、浴槽載置防水パン２の底部上面３ｃから、接続筒受け材８の立壁８ａ間を接続する底面８ｃまでの距離を測り、その長さに合うように切断する。排水口接続部７は、筒７ｂが、接続筒受け材８の立壁８ａ間に挿入でき、且つ、浴槽載置防水パン２の底部平面３ｃに固着できるように、平面部７ａの４辺を切断し、防水テープ１０を貼り付けた接続筒受け材８の立壁８ａ間に排水口接続部７の筒７ｂを挿入する。筒７ｂを挿入する部分は、その挿入部の内側と、排水口接続部７の平面部７ａの外周と、浴槽載置防水パン２の排水マス３との接続部とに、コーキング剤１１を塗布し防水する。次に浴槽載置部２ａの開口２ｄより固定用の接着剤等を注入し、蓋６の裏面にコーキング剤１１を塗布し、前記浴槽載置部２ａの開口２ｄに挿入し固着する。
以上により水漏れせず容易に改装用防水床が設置できる。
【図面の簡単な説明】
【００３０】
【図１】本発明の１実施例である改装用防水パンの分解図であり、（ａ）は排水マスを浴槽載置防水パンに設けた例を示し、（ｂ）は排水マスを洗い場防水パンに設けた例を示し、（ｃ）は排水マスを浴槽載置防水パンに設けた例を示し、（ｄ）は排水マスを洗い場防水パンに設けた例を示す。
【図２】本発明の１実施例である改装用防水パンの分解図を示す。
【図３】本発明の１実施例である改装用防水パンの分解斜視図を示す。
【図４】本発明の１実施例である改装用防水パンの平面図を示す。
【図５】図４に示す改装用防水パンのＡ−Ａ部縦断面図を示す。
【図６】図４に示す改装用防水パンのＢ−Ｂ部縦断面図を示す。
【図７】図５に示す改装用防水パンのＣ部の部分詳細図を示す。
【図８】図５に示す改装用防水パンのＣ部の部分詳細図を示す。
【図９】本発明の１実施例である改装用防水パンに設置する排水口接続部の斜視図を示す。
【図１０】図９に示す排水口接続部に接続する接続筒受け材の斜視図を示す。
【図１１】図６に示す改装用防水パンのＤ部の部分詳細図を示す。
【図１２】従来例である在来工法で設置された浴室の平面図を示す。
【図１３】図１２に示した浴室の縦断面図を示す。
【図１４】従来例である在来工法で改装した浴室の平面図を示す。
【図１５】図１４に示した浴室の縦断面図を示す。
【符号の説明】
【００３１】
１…洗い場防水パン、１ａ…洗い場、１ｂ…側板、１ｃ…補強板、１ｄ…高さ調整脚、２…浴槽載置防水パン、２ａ…浴槽載置部、２ｂ…補強板、２ｃ…高さ調整脚、２ｄ…開口、３…排水マス、３ａ…立上壁部、３ｂ…立上平面部、３ｃ…底部平面、４…排水マス切欠部、５…排水溝、５ａ…立上壁部、５ｂ…立上平面部、６…蓋、７…排水口接続部、７ａ…平面部、７ｂ…筒、８…接続筒受け材、８ａ…立壁、８ｂ…開口部、８ｃ…底面、９…既設排水口、９ａ…開口部、１０…防水テープ、１１…コーキング剤、１２…浴槽、１３…風呂釜、１４…スノコ、１５…改装した洗い場床、１６…防水層、１７…モルタル、１８…建築物躯体、１９…既設浴室、１９ａ…既設浴室床面
【図１】
2006336285.tif 000003
【図２】
2006336285.tif 000004
【図３】
2006336285.tif 000005
【図４】
2006336285.tif 000006
【図５】
2006336285.tif 000007
【図６】
2006336285.tif 000008
【図７】
2006336285.tif 000009
【図８】
2006336285.tif 000010
【図９】
2006336285.tif 000011
【図１０】
2006336285.tif 000012
【図１１】
2006336285.tif 000013
【図１２】
2006336285.tif 000014
【図１３】
2006336285.tif 000015
【図１４】
2006336285.tif 000016
【図１５】
2006336285.tif 000017